(57)【要約】【構成】本発明の伸縮性（繰り出し/繰り込み式）パネルファスナー装置は、ネジをその繰り出し位置に保持する締め付け機構を有する。保持具の外周に設けた変形可能なリングが、ネジのヘッドに強く設けられたキャップの下部において内向きリップに係合する。キャップの繰り出し行程の最下部に隣接する保持具の溝内にリングを保持する。【選択図】図３
2015536421.tif 000002
【特許請求の範囲】
【請求項１】
ヘッドを備えたネジ、
繰り込み位置と繰り出し位置との間に前記ネジを滑り自在に受け取る穴を有する保持具、
前記ネジに強く固着され、下向きに延在する管状本体部分を有するキャップであって、この本体部分がその底部に内向きの円周リップを有するキャップ、および
前記保持具の外部周囲に設けられ、前記リップが前記リングよりも下に押し下げられた後前記ネジが前記繰り出し位置に保持されるように外径が前記リップの内径よりも大きい追従して変形するリングからなることを特徴とするパネルファスナー装置。
【請求項２】
さらに、前記リングを軸方向に保持できるようにこれを設ける溝を有する請求項１に記載のパネルファスナー装置。
【請求項３】
前記リングが前記ネジの繰り出し行程の下部において前記ネジを軸方向に保持するように前記溝を前記保持具に設けた請求項２に記載のパネルファスナー装置。
【請求項４】
前記ネジの前記行程の前記下部が、前記保持具の上部と前記キャップの最も内側の部分との接触によって設定される請求項３に記載のパネルファスナー装置。
【請求項５】
前記リングがシリコーンからなる請求項４に記載のパネルファスナー装置。
【請求項６】
前記キャップの前記管状本体部分の外側に溝を形成して、手動回しを容易にした請求項５に記載のパネルファスナー装置。
【請求項７】
さらに、前記ネジの前記ヘッド内に工具を受け取る作用部を有する請求項６に記載のパネルファスナー装置。
【発明の詳細な説明】
【関連出願に関する相互参照】
【０００１】
本特許出願は、２０１２年１０月２５日に出願され、“締め付けリングを備えたパネルファスナー装置”を発明の名称とする仮特許出願第６１/７１８，４６６号の非仮出願であり、この出願を援用する出願である。
【技術分野】
【０００２】
本発明は、ネジをその繰り出し位置に固定する手段を備えた伸縮自在なパネルファスナー装置に関する。より具体的には、本発明はネジキャップと保持具との間で動作してネジ/キャップ体をその繰り出し位置に保持する手段に関する。
【背景技術】
【０００３】
伸縮性パネルファスナー装置には各種の使い道があり、例示すると、ごく最近では表面実装技術（ＳＭＴ）を利用するプリント回路基板への装着がある。伸縮性パネルファスナー装置を使用すると、保持具部分に対してネジをかなり浮かせることができ、不整合を補償することが可能になるが、この高い自由度が却ってプリント回路基板の表面実装のピックアンドプレイスを困難にしている。ピックアンドプレイス実装では、ネジの最上部によって（例えば空気圧によって）ファスナー装置を保持してから、プリント回路基板（ＰＣＢ）に実装する。保持具に関して一体的なキャップ/ネジ部分が上記のように浮く性質をもっているため、ネジ下において保持具が必ずしも中心に位置するわけではない。従って、実装がネジの位置によって制御されるため、保持具がＰＣＢの目的の実装穴に実装されない場合がある。
【０００４】
従来この問題に対する解決策は、自身が圧縮されたネジ繰り出し位置に保持され、従ってピックアンドプレイス表面実装時に強固でかつ安定なセンタリングを実現できる手段を備えたパネルファスナー装置を提供することである。このような装置の一例はＷａｎｇを発明者とする米国特許第８，１１３，７５５号公報に記載されている。この公報によれば、Ｏ−リングどのストップ・リングおよびナットをネジの端部の周りに装着し、ネジがその繰り出し位置に来た時に保持部の端部に当接するように位置を設定する。パネルファスナー装置をＰＣＢに実装したなら、リングまたはナットを取り外す。この解決策は、浮動型ＳＭＴパネルファスナー装置のピックアンドプレイス問題を解決できるが、理想的な解決策とまでは言えない。ナットおよびリングを取り外すために余計なステップが必要な上に、スクラップ廃棄物を廃棄しなければならない問題が付随するからである。
【先行技術文献】
【特許文献】
【０００５】
【特許文献１】米国特許第８，１１３，７５５号公報
【発明の概要】
【０００６】
上記の従来の課題を解決するために、本発明は表面実装時にＰＣＢに実装された状態で、浮いた状態にあるバネバイアス式伸縮性パネルファスナー装置をその繰り出し位置に維持できるようにするものである。本発明によれば、パネルファスナー装置のキャップ/ネジ部分をその圧縮された、繰り出し位置に維持するために、ゴムリングまたはゴムバンドを、ファスナー装置の他の構成成分に対してリングを位置決めする溝内に保持された保持具の外側に設ける。以下により詳しく説明するように、構造的な設計については、リングがキャップの底部エッジにそって形成したリップに干渉して、その最も下向き位置（ネジ繰り出し位置）におけるその動きを摩擦的に制限する。
【０００７】
より具体的には、本願発明はヘッドを備えたネジ、およびこのネジの軸（ｓｈａｎｋ）を滑り自在に受け取る穴を備えた保持具を有するパネルファスナー装置に関する。キャップをネジヘッドに堅く取り付け、そしてこのキャップが下方に延在する管状本体(downwardly extending tubular body)からなり、内側に向いた外周リップ(inwardly facing peripheral lip)を、保持具を取り囲む最下部エッジにそって形成する。このリップが、保持具の上部フランジとの接触によって繰り出された方向においてネジに軸方向に係合する。追従変形するリングを保持具の外側の周りに設ける。このリングのサイズについては、外径がネジキャップリップの内径よりも大きく設定する。キャップ/ネジ体は、キャップのリップを下方に押し、リングを通過させることによって繰り出し位置に保持できる。保持具の外面周囲の溝によってリングを軸方向に固定するため、キャップが動き、これを超えようとするさいにキャップの力が相殺されることになる。溝については、キャップの完全に繰り出された位置におけるその繰り出し行程の最低部でリングがキャップを保持できるように設けることが好ましい。リングは、シリコーンなどの任意の追従性材料から構成することができる。
【０００８】
本発明の少なくとも一つの実施態様を説明する前に、本発明はその適用に関して以下の記載において説明し、あるいは添付図面に図示した構成の細部および各部品の構成には制限されないものであることを指摘しておく。本発明の場合、他の実施態様も可能であり、各種の方法で実施実行することが可能である。また、本明細書において使用する用語・術語などは説明を目的とするもので、制限を意図するものではない。
【０００９】
また、当業者ならば、本発明の基礎を構成する技術思想は、本発明のいくつかの目的を実現する他の構造、方法およびシステムを設計するための基礎として容易に利用できることを理解できるはずである。即ち、重要なことは、本発明の精神および範囲から逸脱しない限り、特許請求の範囲の記載はこのような等価な構成を包含するものとみなすことが可能であることである。
【図面の簡単な説明】
【００１０】
【図１】本発明パネルファスナー装置のその繰り出し位置(extended position)における斜視図である。
【図２】本発明パネルファスナー装置のその繰り込み位置(retracted position)における斜視図である。
【図３】本発明パネルファスナー装置のその繰り出し位置における一部横断面を含む正面図である。
【図４】本発明パネルファスナー装置のその繰り込み位置における一部横断面を含む正面図である。
【発明を実施するための形態】
【００１１】
添付図面を参照して本発明を説明する。まず図１について説明すると、図１は本発明パネルファスナー装置１１を示す斜視図である。このファスナー装置はヘッド１２を備えたネジ１７からなり、このヘッド１２が工具を受け取り、ネジを回す。ネジには、深い溝を刻設しているためネジを手で容易に回すことができる周囲キャップ１３を強く取り付ける。保持具１５がキャップ/ネジ体を受け取り、これを繰り込み位置と繰り出し位置との間において滑り自在に保持する。通常、圧縮ネジがネジと保持具との間において作用し、従来よく知られているように、ネジにその繰り出し位置に向けてバイアス作用を加えるが、本発明ではバネなしで同じ機能を実現できるため、この実施態様ではバネを図示していない。図１に繰り出し位置を示し、図２に繰り込み位置を示す。
【００１２】
図３について説明すると、図１の繰り出し位置を横断面において示す。この位置では、キャップ/ネジ体の最下部位置になる。リング１９を位置決めする溝内の保持具にこのリング１９を設ける。リングおよび溝のサイズについては、保持具上でリングが上下に軸方向に動くことを抑制し、これが溝内に位置し続けるようにサイズを設定する。リングの突出量が十分大きく、従ってその直径はキャップ１３の底部リップ２１の内径よりも大きい。溝およびリングについては、キャップ/ネジ体が、図３に示すように保持具の上部によって作り出されるハードストップ（ｈａｒｄ  ｓｔｏｐ）に接触した時に、キャップをその行程の最も低い位置で捕まえることができるように軸方向に設ける。このハードストップ位置では、キャップはリング径のちょうど中心に位置するが、図示のように依然としてリングの外側に位置する。このためキャップを十分な力で把持でき、バネを使用した場合にバネの力を相殺でき、キャップ/ネジ体の接合状態を維持でき、しかも（非浮動）中心位置にこれを強く維持できる。
【００１３】
図４について説明すると、リングは十分な追従性をもつ材料からなるため、キャップが回動してリングから離れ、本明細書に記載するようにリングが変形して、その経路から外れるため、キャップが繰り出し位置にくる。リング１９については、最も高い位置において示されるようにネジ１７およびこれに取り付けたキャップ１３が上向きに引っ張られた状態で、保持具１５の溝内に強く保持された状態を維持する。リング材料については、表面実装時の半田温度に耐えることができるように選択する。リングの材料については、高温下においてキャップ/ネジが保持具から外れ、あるいはＳＭＴ時バネが解放している間、ファスナー装置が飛び出すことがない程度の軟性または追従性をもっている必要がある。リング材料の好適な候補はシリコーン材料であるが、他の材料も使用可能である。さらに、キャップの場合、リングから簡単に引っ張り出せることが重要なため、リングは表面実装時に硬化してはならない。図４に示すように、キャップがリングから離間移動した後は、パネルファスナー装置はその機能を十分に果たせる状態にあるため、後は通常に使用できるものである。
【００１４】
本発明の一つの大きな作用効果は、保持リングが保持具の一つの永続的な構成要素であるため、取り除く必要がないことである。従って、スクラップや廃棄物が出ることがなく、またＳＭＴの終了後余計な取り除き作業が必要なく、パネルファスナー装置の外観を損なうこともない。
【００１５】
以上の説明は本発明の原理を例示するに過ぎない。さらに、当業者にとっては多くの修正および変更は容易であるため、以上説明し、そして添付図面に示した正確な構成および操作/動作に限定する意図はなく、従ってこれら適当な修正および等価な構成は本発明の範囲内に包摂されるものである。
【符号の説明】
【００１６】
１１：ファスナー装置
１２：ヘッド
１３：キャップ
１５：保持具
１７：ネジ
１９：リング
２１：底部リップ
【図１】
2015536421.tif 000003
【図２】
2015536421.tif 000004
【図３】
2015536421.tif 000005
【図４】
2015536421.tif 000006
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
ヘッドを備えたネジ、
繰り込み位置と繰り出し位置との間に前記ネジを滑り自在に受け取る穴を有する保持具、
前記ネジに強く固着され、穴を有し、下向きに延在する管状本体部分を有するキャップであって、この本体部分がその底部に内向きに突出する円周リップを有するキャップ、および
前記保持具の外部周囲に固着され、前記リップが前記リングよりも下に押し下げられた後前記リップと前記リングとの干渉によって前記ネジが前記繰り出し位置に一時的に保持されるように外径が前記リップの内径よりも大きい追従変形するリングからなり、前記リングによって前記キャップリップが両方向において前記リングを通過することを特徴とするパネルファスナー装置。
【請求項２】
さらに、前記保持具の外周に、前記リングを軸方向に保持できるようにこれを設ける溝を有する請求項１に記載のパネルファスナー装置。
【請求項３】
前記リングが前記ネジの繰り出し行程の下部において前記ネジを軸方向に保持するように前記溝を前記保持具の基部に隣接して設けた請求項２に記載のパネルファスナー装置。
【請求項４】
前記ネジの前記行程の前記下部が、前記保持具の上部と前記キャップの最も内側の部分との接触によって設定される請求項３に記載のパネルファスナー装置。
【請求項５】
前記リングがシリコーンからなる請求項４に記載のパネルファスナー装置。
【請求項６】
前記キャップの前記管状本体部分の外側に溝を形成して、手動回しを容易にした請求項５に記載のパネルファスナー装置。
【請求項７】
さらに、前記ネジの前記ヘッド内に工具を受け取る作用部を有する請求項６に記載のパネルファスナー装置。
【国際調査報告】
2015536421.tif 000007